(57)【要約】      （修正有）【課題】メモリカードコネクタの提供。【解決手段】導電端子を収容した絶縁フレーム２と、絶縁フレームに取り付けられてメモリカードの挿入と退出を案内するカード退出機構４と、絶縁フレームの外周面を被覆するシールド５とを包含し、導電端子３中の電源端子の接触端３１に溝が設けられ、該接触端が二つに分けられ、これにより二重の弾性接触効果を有し、確実にメモリカードの接点と接触する。また、タッチスイッチが常閉式設計とされ、本体２０と本体の一端に接続された圧接アーム５と、本体の別端側端に設けられた干渉体を具え、該圧接アームが上向きに傾斜し、案内部、接触部及び折り曲げ部を具え、適当な撓み性を提供する。【選択図】図１
0003113529.tif 000002
【実用新案登録請求の範囲】
【請求項１】
メモリカードと回路板の間の信号の接続に用いられ、メモリカードの押圧により直接メモリカードの挿入或いは退出制御が行なえる（Ｐｕｓｈ−Ｐｕｓｈ  Ｔｙｐｅ）メモリカードコネクタであって、
絶縁フレームであって、共同でメモリカードを収容するスロットを形成する本体、両側辺、及び底辺を具え、該本体複数の端子収容溝が設けられ、該端子収容溝に近接する一側に、取り付け溝が設けられた、絶縁フレームと、
複数の導電端子であって、サスペンションアーム式に複数の端子収容溝内に取り付けられ、各導電端子は、本体、接触端、干渉端及びソルダー端を具え、そのうち、中央近くの２つが電源端子とされ、その接触端はダブル弾性接点設計とされ、即ち、該接触端に溝３０１が設けられて接触端が二つに分けられた、上記複数の導電端子と、
該カード退出機構であって、該絶縁フレームの該取り付け溝と反対の側辺に取り付けられ、
メモリカードの挿入と退出を案内する案内溝を具え、該案内溝の一側に連動アームが設けられたスライドシートと、
一端が絶縁フレームの側辺に枢設され、もう一端が案内溝に沿って移動可能とされたガイドロッドと、
スライドシートの動作後の回復力を提供する弾性部品と、
を包含する、上記カード退出機構と、
タッチスイッチであって、該取り付け溝内に取り付けられ、常閉式設計とされ、本体と、この本体の一端より延伸されるように加圧加工された圧接アームと、本体の別端側端に設けられた干渉体を包含し、そのうち、圧接アームは上向きに傾斜し、案内部、接触部、及び折り曲げ部を具え、これにより撓み性を提供する、上記タッチスイッチと、
シールドであって、絶縁フレームに取り付けられ、少なくとも絶縁フレームの本体及び両側辺を被覆し、且つ内側に一体に圧接アームが形成されてタッチスイッチの圧接アームの接触部と接触する、上記シールドと、
を包含したことを特徴とする、メモリカードコネクタ。
【請求項２】
請求項１記載のメモリカードコネクタにおいて、連動アームがスライドシートの一端より傾斜するように設置されたことを特徴とする、メモリカードコネクタ。
【請求項３】
請求項２記載のメモリカードコネクタにおいて、弾性部品が圧縮バネとされて、連動アームの一側のスライドシートに圧接されたことを特徴とする、メモリカードコネクタ。
【請求項４】
請求項３記載のメモリカードコネクタにおいて、スライドシートに位置決め柱が設けられ、取り付け溝にこれに対応する別の位置決め柱が設けられたことを特徴とする、メモリカードコネクタ。
【請求項５】
請求項１記載のメモリカードコネクタにおいて、シールドと絶縁フレームの固定が、絶縁フレームの本体と両側辺に設けられた係止体と、シールドに該係止体に対応するよう設けられた係止孔の係合によることを特徴とする、メモリカードコネクタ。
【請求項６】
請求項１記載のメモリカードコネクタにおいて、電源端子が中央近い位置に設けられたことを特徴とする、メモリカードコネクタ。
【請求項７】
請求項６記載のメモリカードコネクタにおいて、各導電端子の接触端の前端に湾曲部が形成されてメモリカードの接点との接触に供され、干渉端が本体の側縁より逆刺状を呈するように延伸され、該干渉端が端子収容溝の内壁と干渉を形成するように組み合わされ、ソルダー端は折り曲げられて表面実装に供されることを特徴とする、メモリカードコネクタ。
【請求項８】
請求項７記載のメモリカードコネクタにおいて、タッチスイッチの本体と圧接アームの平面視が略長方形を呈することを特徴とする、メモリカードコネクタ。
【請求項９】
請求項８記載のメモリカードコネクタにおいて、スライドシートに設けられた案内溝がハート形とされたことを特徴とする、メモリカードコネクタ。
【考案の詳細な説明】
【技術分野】
【０００１】
本考案は一種のメモリカードコネクタに係り、特にメモリカードを押圧して直接挿入或いは退出制御を行なう（Ｐｕｓｈ−Ｐｕｓｈ  Ｔｙｐｅ）のメモリカードコネクタであって、常閉式スイッチと電源とのダブル弾性接触効果を有してデータ伝送の安定性を向上する、メモリカードコネクタに関する。
【背景技術】
【０００２】
メモリカードを押圧して直接挿入或いは退出制御を行なう（Ｐｕｓｈ−Ｐｕｓｈ  Ｔｙｐｅ）のメモリカードコネクタは、体積が小さく、コンパクトであるため、デジタルカメラ、携帯電話、ＰＤＡ等小型電子製品に適用されている。このようなコネクタはカード挿入行程が非常に短く、使用者が確実にカードが位置決めされた感覚を持てないため、メモリカードが未だ定位に挿入されていないのにも関わらずカード読み取り操作を行ってしまい、不良な接触によりメモリカードを損傷させる情況や、データ伝送が不安定となる情況を形成する。
【０００３】
更に、このようなコネクタとメモリカードの接触方式は水平式であり、即ちコネクタの導電端子がサスペンションアーム式に設置されて水平に挿入されたメモリカードの接点と接触し、このような接触式の組合せは、製造上の公差によりメモリカード挿入時の歪みを発生させ、導電端子とメモリカードの接点との不確実な接触を形成し、特に電源供給用の導電端子は、接触が不確実であると接触不良を形成しやすく、データ伝送の安定性に影響を与える。
【考案の開示】
【考案が解決しようとする課題】
【０００４】
本考案の目的は、一種のメモリカードコネクタを提供することにあり、それはメモリカードを定位まで挿入すれば信号を導通させられ、カード読み取りが確実に行なえ、且つ電源供給する導電端子がダブル弾性式接点によりメモリカードの接点との安定した接触を確保する効果を有するものとする。
【０００５】
上述の目的を達成するため、本考案のメモリカードコネクタは、導電端子を収容した絶縁フレームと、絶縁フレームに取り付けられてメモリカードの挿入と退出を案内するカード退出機構と、絶縁フレームの外周面を被覆するシールドとを包含し、導電端子中の電源端子の接触端に溝が設けられ、該接触端が二つに分けられ、これにより二重の弾性接触効果を有し、確実にメモリカードの接点と接触する。
【０００６】
本考案のもう一つの特徴は、タッチスイッチが常閉式設計とされ、本体と本体の一端に接続された圧接アームと、本体の別端側端に設けられた干渉体を具え、該圧接アームが上向きに傾斜し、案内部、接触部及び折り曲げ部を具え、適当な撓み性を提供することにある。
【課題を解決するための手段】
【０００７】
請求項１の考案は、メモリカードと回路板の間の信号の接続に用いられ、メモリカードの押圧により直接メモリカードの挿入或いは退出制御が行なえる（Ｐｕｓｈ−Ｐｕｓｈ  Ｔｙｐｅ）メモリカードコネクタであって、
絶縁フレームであって、共同でメモリカードを収容するスロットを形成する本体、両側辺、及び底辺を具え、該本体複数の端子収容溝が設けられ、該端子収容溝に近接する一側に、取り付け溝が設けられた、絶縁フレームと、
複数の導電端子であって、サスペンションアーム式に複数の端子収容溝内に取り付けられ、各導電端子は、本体、接触端、干渉端及びソルダー端を具え、そのうち、中央近くの２つが電源端子とされ、その接触端はダブル弾性接点設計とされ、即ち、該接触端に溝３０１が設けられて接触端が二つに分けられた、上記複数の導電端子と、
該カード退出機構であって、該絶縁フレームの該取り付け溝と反対の側辺に取り付けられ、
メモリカードの挿入と退出を案内する案内溝を具え、該案内溝の一側に連動アームが設けられたスライドシートと、
一端が絶縁フレームの側辺に枢設され、もう一端が案内溝に沿って移動可能とされたガイドロッドと、
スライドシートの動作後の回復力を提供する弾性部品と、
を包含する、上記カード退出機構と、
タッチスイッチであって、該取り付け溝内に取り付けられ、常閉式設計とされ、本体と、この本体の一端より延伸されるように加圧加工された圧接アームと、本体の別端側端に設けられた干渉体を包含し、そのうち、圧接アームは上向きに傾斜し、案内部、接触部、及び折り曲げ部を具え、これにより撓み性を提供する、上記タッチスイッチと、
シールドであって、絶縁フレームに取り付けられ、少なくとも絶縁フレームの本体及び両側辺を被覆し、且つ内側に一体に圧接アームが形成されてタッチスイッチの圧接アームの接触部と接触する、上記シールドと、
を包含したことを特徴とする、メモリカードコネクタとしている。
請求項２の考案は、請求項１記載のメモリカードコネクタにおいて、連動アームがスライドシートの一端より傾斜するように設置されたことを特徴とする、メモリカードコネクタとしている。
請求項３の考案は、請求項２記載のメモリカードコネクタにおいて、弾性部品が圧縮バネとされて、連動アームの一側のスライドシートに圧接されたことを特徴とする、メモリカードコネクタとしている。
請求項４の考案は、請求項３記載のメモリカードコネクタにおいて、スライドシートに位置決め柱が設けられ、取り付け溝にこれに対応する別の位置決め柱が設けられたことを特徴とする、メモリカードコネクタとしている。
請求項５の考案は、請求項１記載のメモリカードコネクタにおいて、シールドと絶縁フレームの固定が、絶縁フレームの本体と両側辺に設けられた係止体と、シールドに該係止体に対応するよう設けられた係止孔の係合によることを特徴とする、メモリカードコネクタとしている。
請求項６の考案は、請求項１記載のメモリカードコネクタにおいて、電源端子が中央近い位置に設けられたことを特徴とする、メモリカードコネクタとしている。
請求項７の考案は、請求項６記載のメモリカードコネクタにおいて、各導電端子の接触端の前端に湾曲部が形成されてメモリカードの接点との接触に供され、干渉端が本体の側縁より逆刺状を呈するように延伸され、該干渉端が端子収容溝の内壁と干渉を形成するように組み合わされ、ソルダー端は折り曲げられて表面実装に供されることを特徴とする、メモリカードコネクタとしている。
請求項８の考案は、請求項７記載のメモリカードコネクタにおいて、タッチスイッチの本体と圧接アームの平面視が略長方形を呈することを特徴とする、メモリカードコネクタとしている。
請求項９の考案は、請求項８記載のメモリカードコネクタにおいて、スライドシートに設けられた案内溝がハート形とされたことを特徴とする、メモリカードコネクタとしている。
【考案の効果】
【０００８】
本考案のメモリカードコネクタはメモリカードを定位まで挿入すれば信号を導通させられ、カード読み取りが確実に行なえ、且つ電源供給する導電端子がダブル弾性式接点によりメモリカードの接点との安定した接触を確保する効果を有する。
【考案を実施するための最良の形態】
【０００９】
図１から図３に示されるように、本考案のメモリカードコネクタ１は、絶縁フレーム２、複数の導電端子３、カード退出機構４及びシールド５を包含し、そのうち、絶縁フレーム２は共同でメモリカードを収容するスロット２０１を形成する本体２０、両側辺２１、２２、及び底辺２３を具えている。また、本体２０に複数の端子収容溝２０２が設けられて導電端子３を収容する。また、本体２０及び両側辺２１、２２に係止体２００、２１０、２２０（図２、図３参照）が設けられてシールド５の係止に供される。絶縁フレーム２の端子収容溝２０２に近接する一側に、取り付け溝２０３が設けられてカード退出機構４を収容する。
【００１０】
複数の導電端子３は、サスペンションアーム式に複数の端子収容溝２０２内に取り付けられ、各導電端子３は、本体３０、接触端３１、干渉端３２及びソルダー端３３を具え、そのうち、中央近くの２つが電源端子とされ、その接触端はダブル弾性接点設計とされ、即ち、該接触端に溝３０１が設けられて接触端が二つに分けられ、ダブル弾性接触効果を形成し、確実にメモリカードの接点と安定した接触を形成する。また、各端子の接触端３１の前端に湾曲部が形成され、メモリカードの接点との接触に有利とされる。該干渉端３２は本体３０の側端より延伸されて逆刺状を呈し、端子収容溝２０２の内壁と干渉を形成するように組み合わされる。該ソルダー端３３は折り曲げられて表面実装に供される。
【００１１】
該カード退出機構４は、絶縁フレーム２の別の側辺２２に取り付けられ、スライドシート４０を包含し、該スライドシート４０がメモリカードの挿入と退出を案内するハート形案内溝４０１を具え、該案内溝４０１に近接する側辺に連動アーム４０２が設けられ、該連動アーム４０２はスライドシート４０の一端より傾斜するように設置される。且つ該スライドシート４０に位置決め柱４０３が設けられ、取り付け溝２０３内に該位置決め柱４０３に対応する位置決め柱４０４が設けられている。ガイドロッド４１の一端４１０が絶縁フレーム２の側辺の軸座２０４に枢設され、もう一端４１１はハート形の案内溝４０１に沿って移動可能とされる。弾性部品４２は、圧縮バネとされてその一端が前述の位置決め柱４０３に嵌合され、もう一端がもう一つの位置決め柱４０４に嵌合され、スライドシート４０の動作後の回復力を提供する。
【００１２】
該タッチスイッチ６は該取り付け溝２０３内に取り付けられ、それは常閉式設計とされ、本体６０と、本体６０の一端より延伸されるように加圧加工された圧接アーム６１と、本体６０の別端側端に設けられた干渉体６２を包含し、そのうち、圧接アーム６１は上向きに傾斜し、案内部６１０、接触部６１１、及び折り曲げ部６１２を具え、これにより適当な撓み性を提供する。
【００１３】
該シールド５は、絶縁フレーム２の本体２０及び両側辺２１、２２を被覆し、且つそれに設けられる圧接アーム５０は内側に一体に形成され、圧接アーム６１の接触部６１１と接触する（図５）。別に、絶縁フレーム２の係止体２００、２１０、２２０に対応して係止孔５１、５２、５３が設けられ、両者が係合され一体とされる（図２、３参照）。
【００１４】
図６に示されるように、本考案のタッチスイッチ６は常閉式設計とされ、メモリカード７が挿入される時、圧接アーム６１の案内部６１０に沿って挿入され、並びに挿入の深さに伴い接触部６１１が下向きに押圧され、これにより該接触部６１１が圧接アーム５０との接触より離脱し、挿入位置決め並びに電源オンの効果を達成する。また、再び図１を参照されたいが、本考案の２つの電源端子の接触端はダブル弾性接点設計とされ、その接触端の溝３０１が接触端を二つに分けて、ダブル弾性接触効果を提供し、これにより比較的悪い環境、例えば振動するか、或いはメモリカードがゆがんで挿入される時のいずれの場合も、挿入されたメモリカードの接点との安定した接触を確保できる。
【００１５】
総合すると、本考案のメモリカードコネクタは確実に予期された目的を達成し、実用新案登録の要件を具備する。なお、以上の実施例は本考案の実施範囲を限定するものではなく、本考案に基づきなしうる細部の修飾或いは改変は、いずれも本考案の請求範囲に属するものとする。
【図面の簡単な説明】
【００１６】
【図１】本考案のメモリカードコネクタの立体分解図である。
【図２】図１の立体組合せ図である。
【図３】図２の別角度の立体図である。
【図４】図２の平面図である。
【図５】図４の５−５断面図である。
【図６】メモリカードの本考案のメモリカードコネクタへの挿入の表示図である。
【符号の説明】
【００１７】
１  メモリカードコネクタ          ２  絶縁フレーム
３  導電端子                      ４  カード退出機構
５  シールド                      ６  タッチスイッチ
７  メモリカード                  ２０  本体
２１、２２  側辺                  ２３  底辺
２０１  スロット                  ２０２  端子収容溝
２０３  取り付け溝                ２０４  軸座
２００、２１０、２２０  係止体
３０  本体                            ３１  接触端
３２  干渉端                          ３３  ソルダー端
３０１  溝                            ４０  スライドシート
４１  ガイドロッド                    ４０１  案内溝
４２  弾性部品                        ４３  係合ロッド
４０２  連動アーム                    ４０３  位置決め柱
４０４  位置決め柱                    ４１０  一端
４１１  一端                          ５０  圧接アーム
５１、５２、５３  係止孔              ６０  本体
６１  圧接アーム                      ６２  干渉体
６１０  案内部                        ６１１  接触部
６１２  折り曲げ部
【図１】
0003113529.tif 000003
【図２】
0003113529.tif 000004
【図３】
0003113529.tif 000005
【図４】
0003113529.tif 000006
【図５】
0003113529.tif 000007
【図６】
0003113529.tif 000008